(57)【要約】【課題】エンドキャップを利用して、カバーをベースに容易に取り付けることができる照明器具を提供する。【解決手段】照明器具１は、ベース３、エンドキャップ４及びカバー５を備えている。エンドキャップ４は、ベース３における第１方向の端部に取り付けられる。カバー５は、ベース３に取り付けられる。エンドキャップ４は、ガイド部４３を有している。ガイド部４３は、第１方向に直交する第２方向において、ベース３よりも外側に突出する。ガイド部４３は、カバー５がベース３に取り付けられる際に、カバー５がベース３に対して第１方向に変位することを規制しつつ、カバー５をベース３に対して第１方向及び第２方向の両者に交差する方向に移動するようにガイドする。【選択図】図８
2020087761.tif 000002
【特許請求の範囲】
【請求項１】
ベースと、
前記ベースにおける第１方向の端部に取り付けられるエンドキャップと、
前記ベースに取り付けられるカバーとを備え、
前記エンドキャップは、
前記第１方向に直交する第２方向において、前記ベースよりも外側に突出するガイド部を有し、
前記ガイド部は、前記カバーが前記ベースに取り付けられる際に、前記カバーが前記ベースに対して前記第１方向に変位することを規制しつつ、前記ベースに対して前記第１方向及び前記第２方向の両者に交差する方向に移動するようにガイドする、
照明器具。
【請求項２】
前記カバーは、
前記ベースに引掛可能な引掛部を有した、
請求項１に記載の照明器具。
【請求項３】
前記エンドキャップとして、前記ベースにおける前記第１方向の両端部にそれぞれ取り付けられる一対のエンドキャップを備えた、
請求項１又は請求項２に記載の照明器具。
【請求項４】
前記ベースは、
前記第１方向に延びた底部と、
前記底部における前記第２方向の両端部から前記第１方向及び前記第２方向の両者に交差する方向にそれぞれ突出し、前記第２方向に並んだ一対の壁部とを有し、
前記カバーは、
前記一対の壁部の間の領域を前記底部とは反対側から覆う第１カバー片と、
前記第１カバー片における前記第２方向の両端部から、前記第１方向及び前記第２方向の両者に交差する方向にそれぞれ突出して、前記第２方向において前記一対の壁部の外側に配置される一対の第２カバー片とを有し、
前記ガイド部は、前記カバーが前記ベースに取り付けられる際に、前記一対の第２カバー片のうちの一方に接して、前記ベースの移動をガイドする、
請求項１〜３のいずれか１項に記載の照明器具。
【請求項５】
前記一対の第２カバー片のうちの少なくとも一方は、
前記第１カバー片から前記第１方向と前記第２方向との両者に交差する方向に突出したカバー部と、
前記カバー部における前記第１カバー片とは反対側の端部から前記第１カバー片側に向かって突出した折り返し部とを有し、
前記ガイド部は、前記カバーが前記ベースに取り付けられる際に、前記折り返し部に接して前記ベースの移動をガイドする、
請求項４に記載の照明器具。
【請求項６】
前記カバー部は、
前記第１方向において前記折り返し部よりも外側に突出して、前記ガイド部の一部を覆う突出部を有した、
請求項５に記載の照明器具。
【発明の詳細な説明】
【技術分野】
【０００１】
本開示は、照明器具に関する。
【背景技術】
【０００２】
特許文献１には、照明器具が開示されている。この照明器具は、矩形箱状の本体と、本体に設けられるＬＥＤ取付台と、ＬＥＤ取付台に結合されるＬＥＤとを備えている。本体は、ベースと、ベースカバーとを備えている。ベースは、本体の長手方向に沿う底壁と、底壁の幅方向における両側縁にそれぞれ立設された一対の内側壁と、底壁の長手方向における両端部にそれぞれ立設された一対の両端壁とで構成されている。ベースカバーは、長手方向の寸法が本体ベースと略等しい取付台設置壁と、取付台設置壁の幅方向における両側縁からそれぞれ垂下した一対の外側壁とで構成されている。ベースカバーは、外側壁の内面に形成された凸部が、ベースの内側壁の外側面に形成された凹部に嵌合されることにより、ベースに取り付けられる。
【先行技術文献】
【特許文献】
【０００３】
【特許文献１】特開２０１２−１７４５５２号公報
【発明の概要】
【発明が解決しようとする課題】
【０００４】
特許文献１には、ベースの端部に取り付けられるエンドキャップが開示されておらず、ましてや、エンドキャップを利用して、カバーをベースに容易に取り付けられるようにすることは開示されていない。
【０００５】
本開示は上記事由に鑑みてなされており、エンドキャップを利用して、カバーをベースに容易に取り付けることができる照明器具を提供することを目的とする。
【課題を解決するための手段】
【０００６】
本開示の一態様に係る照明器具は、ベース、エンドキャップ及びカバーを備えている。前記エンドキャップは、前記ベースにおける第１方向の端部に取り付けられる。前記カバーは、前記ベースに取り付けられる。前記エンドキャップは、ガイド部を有している。前記ガイド部は、前記第１方向に直交する第２方向において、前記ベースよりも外側に突出する。前記ガイド部は、前記カバーが前記ベースに取り付けられる際に、前記カバーが前記ベースに対して前記第１方向に変位することを規制しつつ、前記ベースに対して前記第１方向及び前記第２方向の両者に交差する方向に移動するようにガイドする。
【発明の効果】
【０００７】
前記一態様に係る照明器具は、エンドキャップを利用して、カバーをベースに容易に取り付けることができる。
【図面の簡単な説明】
【０００８】
【図１】図１は、本開示の一実施形態に係る照明器具の斜視図である。
【図２】図２は、同上の照明器具の分解斜視図である。
【図３】図３は、同上の照明器具の長さ方向と直交する断面を示した断面図である。
【図４】図４は、同上の照明器具の器具本体の端部の斜視図である。
【図５】図５は、同上の照明器具のカバー及び光源ユニットの端部の斜視図である。
【図６】図６は、同上の照明器具の設置例を示した断面図である。
【図７】図７は、同上の照明器具の他の設置例を示した断面図である。
【図８】図８は、同上の照明器具の端部の斜視図である。
【発明を実施するための形態】
【０００９】
以下に示す実施形態は、照明器具に関し、詳しくは、ベースと、ベースに取り付けられるカバーとを備えた照明器具に関する。
【００１０】
図１に示す本実施形態の照明器具１は、天井等の設置部９０（図２参照）に設置される照明器具１である。互いに直交する第１方向、第２方向及び第３方向を規定したとき、本実施形態の照明器具１は、第１方向と平行な長さ方向と、第２方向と平行な幅方向と、第３方向と平行な厚さ方向とを有している。以下、図１に示すように、照明器具１の長さ方向（第１方向）を左右方向とし、照明器具１の幅方向（第２方向）を前後方向とし、かつ、照明器具１の厚さ方向（第３方向）を上下方向と規定して、照明器具１の各要素について説明する。すなわち、以下の説明で用いる、左右方向、前後方向及び上下方向は、それぞれ、第１方向、第２方向及び第３方向である。なお、左右方向、前後方向及び上下方向の記載は、照明器具１が設置される方向を制限するものではない。
【００１１】
照明器具１は、左右方向に直線状に延びている。照明器具１は、器具本体２と、器具本体２に取り付けられるカバー５とを備えている。図２に示すように、器具本体２は、ベース３と、エンドキャップ４とを有している。本実施形態のベース３は、左右方向に直線状に延びている。具体的にベース３は、ベース３の主体を構成するベース本体３０を有している。ベース本体３０は、左右方向に直線状に延びている。ベース本体３０は、例えば、金属製であって、金属板を曲げ加工することにより形成される。
【００１２】
図３に示すように、ベース本体３０は、底部３３と、一対の壁部３４とを有している。底部３３は、左右方向に延びた矩形の板状に形成されている。一対の壁部３４は、底部３３における前後方向の両端部から上下方向に沿ってそれぞれ突出しており、前後方向に並んでいる。各壁部３４は、前後方向と直交する板状に形成されている。各壁部３４は、底部３３における左右方向（底部３３の長さ方向）の全長にわたっている。
【００１３】
本実施形態のベース本体３０は、底部３３及び一対の壁部３４のみから構成されており、図２に示すように、上下方向における一方の面が開口し、かつ、左右方向の両端面が開口した溝状に形成されている。すなわち、ベース本体３０における底部３３とは反対側の面は、第１開口部３１を有しており、ベース本体３０における左右方向の両端面の各々は、第２開口部３２を有している。
【００１４】
本実施形態の器具本体２は、複数の電気部品として、電源装置２０、端子台２１及び電線２２を有している。電源装置２０、端子台２１及び電線２２は、溝状のベース３に内蔵されている。
【００１５】
本実施形態の器具本体２は、一対のエンドキャップ４を備えている。一対のエンドキャップ４は、ベース３における左右方向の両端部（詳しくは、ベース本体３０における左右方向の両端部）にそれぞれ取り付けられている。各エンドキャップ４は、例えば、合成樹脂製である。本実施形態の一対のエンドキャップ４は、左右対称に形成されている。また、各エンドキャップ４は、前後対称の形状を有している。
【００１６】
本実施形態の各エンドキャップ４は、図４に示すように、板状部４０を有している。板状部４０は、厚み方向が左右方向と平行な平板状に形成されている。板状部４０は、ベース３における左右方向の両端面のうちの一方に沿って配置され、対応する第２開口部３２の一部を覆っている。なお、本実施形態の板状部４０は、対応する第２開口部３２の一部のみを覆っているが、対応する第２開口部３２の全部を覆ってもよい。
【００１７】
本実施形態の各エンドキャップ４は、一対の嵌込部４１を更に有している。一対の嵌込部４１は、板状部４０における前後方向の両端部から、左右方向における内側に向かってそれぞれ突出している。本実施形態の各嵌込部４１は、板状部４０と一体に形成されている。各嵌込部４１は、前後方向の外側に向かって突出した係合部４２を有している。
【００１８】
ベース３の各壁部３４における左右方向の両端部の各々には、壁部３４を前後方向に貫通した係合孔３５が形成されている。各エンドキャップ４は、一対の嵌込部４１が一対の壁部３４の間に嵌め込まれて、各嵌込部４１の係合部４２が対応する係合孔３５に引っ掛かることにより、ベース３に取り付けられる。
【００１９】
図３に示すように、カバー５は、ベース３に取り付けられ、ベース３と上下方向に並ぶ。本実施形態のカバー５は、左右方向に直線状に延びている。カバー５は、例えば、金属製であって、金属板を曲げ加工することにより形成される。
【００２０】
本実施形態のカバー５は、第１カバー片５１と、一対の第２カバー片５２とを有している。第１カバー片５１は、左右方向に延びた板状に形成されている。第１カバー片５１は、ベース３における底部３３とは反対側の面に沿って位置し、ベース３の第１開口部３１を覆う。すなわち、第１カバー片５１は、ベース３の一対の壁部３４の間の領域を底部３３とは反対側から覆う。
【００２１】
本実施形態の第１カバー片５１は、中間部５３と、一対の側部５４とを有している。中間部５３は、左右方向に延びて上下方向におけるベース３とは反対側に向かって開口した溝状に形成されており、第１カバー片５１における前後方向の中間部分を構成している。
【００２２】
一対の側部５４は、それぞれ第１カバー片５１における前後方向の両側の部分を構成している。各側部５４は、前後方向において第１カバー片５１の外側に位置する部分ほど、上下方向においてベース３に近づくように、上下方向と直交する面に対して傾斜した板状に形成されている。
【００２３】
一対の第２カバー片５２は、第１カバー片５１における左右方向の両端部から、上下方向に沿ってそれぞれ突出しており、前後方向に並んでいる。本実施形態のカバー５は、第１カバー片５１及び一対の第２カバー片５２のみから構成されており、第１カバー片５１とは反対側の面が開口し、かつ、左右方向の両端面が開口した溝状に形成されている。
【００２４】
各第２カバー片５２は、カバー部５５と、折り返し部５６とを有している。各カバー部５５は、第１カバー片５１における前後方向の端部（詳しくは、側部５４における中間部５３とは反対側の端部）から、上下方向に沿って突出している。一対の第２カバー片５２は、カバー部５５同士が、前後方向に並び、対向している。本実施形態の各カバー部５５は、第１カバー片５１の左右方向の全長にわたって形成されている。
【００２５】
各折り返し部５６は、カバー部５５における第１カバー片５１とは反対側の端部から第１カバー片５１側に向かって突出している。各折り返し部５６は、前後方向において、対応するカバー部５５の内側に配置され、対応するカバー部５５の内面に沿って位置している。各第２カバー片５２は、折り返し部５６を有することで強度が高められており、外力が加えられても変形し難い。
【００２６】
各折り返し部５６は、左右方向において、カバー部５５の両端部以外の部分にわたって形成されており、図５に示すように、カバー部５５における左右方向の両端部には形成されていない。このため、各カバー部５５における左右方向の両端部は、左右方向において折り返し部５６よりも外側に突出している。すなわち、カバー部５５は、左右方向における両端部でそれぞれ構成され、左右方向において折り返し部５６よりも外側に突出した一対の突出部５７を有している。
【００２７】
図２に示すように、本実施形態の照明器具１は、光源ユニット７を更に備えている。光源ユニット７は、カバー５に取り付けられている。光源ユニット７は、左右方向に直線状に延びている。光源ユニット７は、カバー５の左右方向の全長にわたっている。
【００２８】
図３に示すように、光源ユニット７は、取付部材７０、基板７１、光源７２及びカバー部材７３を備えている。取付部材７０は、左右方向に直線状に延びている。取付部材７０は、カバー５の中間部５３の外面に取り付けられている。基板７１は、プリント配線板であって、左右方向に直線状に延びている。基板７１は、取付部材７０に取り付けられている。
【００２９】
光源７２は、複数の発光素子７４で構成されている。各発光素子７４は、固体発光素子であり、詳しくは、発光ダイオードである。複数の発光素子７４は、基板７１に実装されている。複数の発光素子７４は、左右方向に並んでいる。複数の発光素子７４は、電源装置２０（図２参照）から電力が供給されることにより、器具本体２とは反対側に向かって光を発する。
【００３０】
カバー部材７３は、取付部材７０に取り付けられている。カバー部材７３は、透光性を有しており、例えば、合成樹脂から形成される。カバー部材７３は、取付部材７０、基板７１及び光源７２を器具本体２とは反対側から覆っている。光源７２から発せられた光は、カバー部材７３を透過して器具本体２とは反対側に向かって出る。このようにカバー部材７３を透過して出た光の一部は、カバー５の外面に当たって反射する。すなわち、本実施形態のカバー５は、反射板として機能する。
【００３１】
本実施形態のカバー５は、図２に示すように、カバー５に光源ユニット７が取り付けられた状態で、器具本体２のベース３に取り付けられる。本実施形態のカバー５は、複数の引掛部５８を備えている。具体的にカバー５は、四つの引掛部５８を有している。カバー５は、複数の引掛部５８が、ベース３に引っ掛けられることで、ベース３に脱着可能に取り付けられる。本実施形態では、カバー５の各側部５４に左右方向に並んだ一対の引掛孔５９が形成されており、各引掛部５８は、第１カバー片５１における各引掛孔５９の周縁部によって構成されている。
【００３２】
本実施形態のベース３は、複数の係止部材３６を更に備えている。複数の係止部材３６は、それぞれカバー５の複数の引掛部５８と一対一で対応する。複数の係止部材３６は、ベース本体３０に取り付けられている。各係止部材３６は、例えば、板ばねである。各係止部材３６は、対応する引掛部５８が引っ掛けられる部分である。本実施形態では、ベース本体３０の各壁部３４における左右方向の両側の部分に、一対の係止部材３６がそれぞれ取り付けられている。
【００３３】
図３に示すように、各係止部材３６は、ベース本体３０の対応する壁部３４の内面に取り付けられている。各係止部材３６は、係止部３７を有している。本実施形態の係止部３７は、係止部材３６においてＬ字状に曲がった部分であり、係止部３７において底部３３とは反対側の端部に位置している。各係止部３７は、前後方向における外側に向かって突出している。
【００３４】
図２に示すように光源ユニット７が取り付けられたカバー５は、一対の第２カバー片５２の間に、第１カバー片５１とは反対側からベース３の一対の壁部３４が挿入されることにより、一対のエンドキャップ４が取り付けられたベース３に取り付けられる。すなわち、本実施形態のカバー５のベース３への取付方向は、上下方向と平行な一方向である。なお、作業者は、カバー５の器具本体２への取付けを、カバー５を動かすことで行ってもよいし、器具本体２を動かすことで行ってもよいし、カバー５と器具本体２との両者を動かすことで行ってもよい。すなわち、カバー５は、ベース３に対して相対的に動かされることにより、ベース３に取り付けられる。
【００３５】
カバー５が器具本体２に対して取付方向に動かされて、一対の第２カバー片５２の間にベース３の一対の壁部３４が挿入されたとき、ベース３の各係止部材３６の係止部３７（図３参照）は、カバー５の対応する側部５４に当たる。この状態からカバー５が器具本体２に対して更に取付方向に動かされると、各係止部材３６はカバー５に押されて、係止部３７が前後方向の内側に向かって移動するように弾性変形する。これにより各係止部材３６の係止部３７は、対応する引掛孔５９を通過し、カバー５の外側に突出する。このように係止部３７がカバー５の外側に突出した各係止部材３６は、係止部３７が前後方向の外側に向かって移動するように弾性復帰する。これにより、カバー５の各引掛部５８が、図３に示すように、対応する係止部３７におけるベース３側の面に引っ掛かった状態となり、カバー５はベース３に取り付けられる。
【００３６】
上述した照明器具１は、例えば、以下に示すように天井等の設置部９０に設置される。作業者は、まず、ベース３に一対のエンドキャップ４が取り付けられた器具本体２における底部３３を設置部９０に沿わせ、ベース３を複数のねじ１０を用いて設置部９０に固定する。この作業は、例えば、ベース３の底部３３に設けられた複数の孔の各々にねじ１０を通し、各ねじ１０を設置部９０にねじ込むことで行われる。次に作業者は、設置部９０から引き出された電源線等の電線９５を、器具本体２の端子台２１に接続する。次に作業者は、カバー５に取り付けられた光源ユニット７の基板７１（図３参照）が有するプリント配線と、器具本体２に内蔵された電源装置２０等の電子部品とを電線２２によって電気的に接続する。
【００３７】
次に作業者は、光源ユニット７が取り付けられたカバー５を、器具本体２のベース３に取り付ける。この作業は、前述したように、カバー５の一対の第２カバー片５２の間に、ベース３の一対の壁部３４が挿入されるようにカバー５を動かして、カバー５の各引掛部５８を、器具本体２の対応する係止部材３６に引っ掛けることで行われる。このようにカバー５がベース３に取り付けられることで、照明器具１の設置が完了する。
【００３８】
上述した照明器具１は、例えば、図６に示すコーニス照明や、図７に示すコーブ照明等の間接照明を行うために用いることができる。図６に示す例では、天井面９１において壁面９２側の端部に形成された凹部９３に照明器具１が設置されており、照明器具１から発した光で壁面９２を照らすことで、天井面９１の下方空間の間接照明が行われる。また、図７に示す例では、壁面９２から突出した棚部９４上に照明器具１が設置されており、照明器具１から発した光で天井面９１を照らすことで、天井面９１の下方空間の間接照明が行われる。
【００３９】
ところで、照明器具１を設置する際等において、図２に示すカバー５がベース３に取り付けられるとき、カバー５がベース３に対して取付方向と交差する方向において変位すると、カバー５がベース３に対してずれた状態で取り付けられる可能性がある。また、カバー５がベース３に取り付けられるときに、係止部材３６がカバー５に当たって対応する引掛孔５９を通過せず、カバー５をベース３に引っ掛けることができない可能性もある。
【００４０】
ここで、本実施形態では、カバー５がベース３に取り付けられるとき、カバー５の各第２カバー片５２は、ベース３の対応する壁部３４の外面に沿って移動する。このため、カバー５がベース３に取り付けられるときには、一対の壁部３４によって一対の第２カバー片５２の前後方向の移動が規制されて、カバー５が前後方向に変位し難い。
【００４１】
加えて、本実施形態の各エンドキャップ４は、図４に示すガイド部４３を有している。ガイド部４３は、カバー５（図２参照）がベース３に取り付けられるときにおいて、カバー５がベース３に対して左右方向に変位することを規制しつつ、カバー５をベース３に対して取付方向に移動するようにガイドする。
【００４２】
本実施形態の各エンドキャップ４は、前後一対のガイド部４３を有している。本実施形態では、各エンドキャップ４の板状部４０における前後方向の両端部が、ベース３の一対の壁部３４よりも前後方向の外側に向かって突出しており、これら突出部分の各々が、ガイド部４３を構成している。
【００４３】
各ガイド部４３は、ガイド面４４を有している。本実施形態のガイド面４４は、ガイド部４３（板状部４０における前後方向の端部）の左右方向における内側を向いた面によって構成されている。ガイド面４４は、上下方向に延びて取付方向と平行であり、かつ、左右方向に直交している。
【００４４】
一方、図５に示すカバー５は、ガイド部４３によってガイドされる被ガイド部を有している。本実施形態では、各第２カバー片５２の折り返し部５６が被ガイド部を構成している。各折り返し部５６（被ガイド部）における左右方向の両端面の各々は、被ガイド面６０を構成している。すなわち、各被ガイド面６０は、左右方向における外側を向いた面である。各被ガイド面６０は、上下方向に延びて取付方向と平行であり、かつ、左右方向に直交している。カバー５がベース３に取り付けられたとき、図８に示すように、各被ガイド面６０は、対応するガイド面４４に対向する。
【００４５】
カバー５がベース３に取り付けられるとき、カバー５の各被ガイド面６０は、対応するエンドキャップ４のガイド面４４に沿って取付方向に移動する。この場合、カバー５がベース３に対して左右方向に変位しようとすると、被ガイド面６０が対応するガイド面４４に接し、カバー５のベース３に対する左右方向の変位が規制される。したがって、カバー５は、ベース３に対して左右方向の変位が規制された状態で、取付方向に移動する。これにより、作業者は、カバー５をベース３の適切な位置に容易に取り付けることができる。特に、図６に示すコーニス照明や、図７に示すコーブ照明等の間接照明を行うにあたって、狭いスペースに照明器具１を設置する場合には、作業者はカバー５をベース３（図２参照）に容易に取り付けることができて、便利である。
【００４６】
カバー５がベース３に取り付けられたとき、カバー５の各第２カバー片５２の一対の突出部５７の各々は、図８に示すように、前後方向において対応するガイド部４３の外側に位置し、対応するガイド部４３における前後方向の外側を向く面の全体又は一部を覆う。このため、前後方向においてベース３よりも外側に突出したガイド部４３が目立ち難くなり、照明器具１の外観が良くなる。
【００４７】
なお、上記実施形態の照明器具１は、適宜設計変更可能である。例えば、カバー５のベース３への取付方向は、ベース３の形状及びカバー５の形状に応じて決定される。このため、カバー５がベース３に取り付けられる際に、カバー５がベース３に対して左右方向に変位することがエンドキャップ４によって規制されるのであれば、取付方向は、上下方向に対して傾いてもよい。すなわち、取付方向は、左右方向と交差し、かつ、前後方向と交差する方向であればよい。
【００４８】
また、ベース３及びカバー５の各々の形状は、上記実施形態で示した形状に限られない。例えば、カバー５の各第２カバー片５２の突出部５７は、省略可能である。また、カバー５が有する引掛部５８の数は、四つに限られず、１〜３又は５以上であってもよい。この場合、ベース３が有する係止部材３６の数は、例えば、引掛部５８の数に応じて変更する。また、カバー５は、ねじ等、引掛け以外の手段によって、ベース３に取り付けられてもよい。また、カバー５の被ガイド部は、折り返し部５６に限られず、例えば、カバー部５５であってもよい。この場合、折り返し部５６は省略可能である。また、照明器具１は、エンドキャップ４を一つだけ有してもよい。
【００４９】
また、光源７２が有する発光素子７４は、発光ダイオードに限られず、例えば、半導体レーザ等の半導体発光素子、有機エレクトロルミネセンス素子又は無機エレクトロルミネセンス素子等であってもよい。また、光源７２は、発光素子７４を一つだけ有してもよい。また、本実施形態の光源７２は、カバー５に取り付けられているが、器具本体２に取り付けられてもよい。また、照明器具１は、光源７２を利用して照明を行うための器具であればよく、光源７２を必須の構成とするものではない。例えば、光源ユニット７は省略可能である。
【００５０】
また、本実施形態の照明器具１は、間接照明ではなく、直接照明として用いられてもよい。また、照明器具１は、壁、床等、天井以外の設置部に設置されてもよい。
【００５１】
以上説明した、実施形態から明らかなように、第１の態様の照明器具（１）は、以下に示す構成を有する。照明器具（１）は、ベース（３）、エンドキャップ（４）及びカバー（５）を備えている。エンドキャップ（４）は、ベース（３）における第１方向の端部に取り付けられる。カバー（５）は、ベース（３）に取り付けられる。エンドキャップ（４）は、ガイド部（４３）を有している。ガイド部（４３）は、第１方向に直交する第２方向において、ベース（３）よりも外側に突出する。ガイド部（４３）は、カバー（５）がベース（３）に取り付けられる際に、カバー（５）がベース（３）に対して第１方向に変位することを規制しつつ、カバー（５）をベース（３）に対して第１方向及び第２方向の両者に交差する方向に移動するようにガイドする。
【００５２】
この態様によれば、カバー（５）がベース（３）に取り付けられる際に、エンドキャップ（４）のガイド部（４３）によって、カバー（５）がベース（３）に対して第１方向に変位することを規制することができる。このため、カバー（５）がベース（３）に対して第１方向にずれた状態で取り付けられることが抑制される。また、作業者は、カバー（５）をベース（３）に容易に取り付けることができる。
【００５３】
第２の態様の照明器具（１）は、第１の態様との組み合わせにより実現され得る。第２の態様の照明器具（１）は、以下に示す構成を有する。カバー（５）は、引掛部（５８）を有している。引掛部（５８）は、ベース（３）に引掛可能である。
【００５４】
この態様によれば、引掛部（５８）をベース（３）に引っ掛けて、カバー（５）を容易にベース（３）に取り付けることができる。
【００５５】
第３の態様の照明器具（１）は、第１又は第２の態様との組み合わせにより実現され得る。第３の態様の照明器具（１）は、以下に示す構成を有する。照明器具（１）は、エンドキャップ（４）として、一対のエンドキャップ（４）を備えている。一対のエンドキャップ（４）は、ベース（３）における第１方向の両端部にそれぞれ取り付けられる。
【００５６】
この態様によれば、一対のエンドキャップ（４）により、カバー（５）がベース（３）に取り付けられる際に、カバー（５）がベース（３）に対して第１方向の両側に変位することを規制することができる。
【００５７】
第４の態様の照明器具（１）は、第１〜第３のいずれか一つの態様との組み合わせにより実現され得る。第４の態様の照明器具（１）は、以下に示す構成を有する。ベース（３）は、底部（３３）と、一対の壁部（３４）とを有している。底部（３３）は、第１方向に延びている。一対の壁部（３４）は、底部（３３）における第２方向の両端部から第１方向及び第２方向の両者に交差する方向にそれぞれ突出し、第２方向に並んでいる。カバー（５）は、第１カバー片（５１）と、一対の第２カバー片（５２）とを有している。第１カバー片（５１）は、一対の壁部（３４）の間の領域を底部（３３）とは反対側から覆う。一対の第２カバー片（５２）は、第１カバー片（５１）における第２方向の両端部から、第１方向及び第２方向の両者に交差する方向にそれぞれ突出して、第２方向において一対の壁部（３４）の外側に配置される。ガイド部（４３）は、カバー（５）がベース（３）に取り付けられる際に、一対の第２カバー片（５２）のうちの一方に接して、ベース（３）の移動をガイドする。
【００５８】
この態様によれば、カバー（５）の一対の第２カバー片（５２）の間に、ベース（３）の一対の壁部（３４）を挿入して、カバー（５）がベース（３）に取り付けられる。この照明器具（１）にあっては、カバー（５）がベース（３）に取り付けられる際、第２カバー片（５２）がガイド部（４３）に接してガイドされることにより、カバー（５）がベース（３）に対して第１方向に変位することが規制される。
【００５９】
第５の態様の照明器具（１）は、第４の態様との組み合わせにより実現され得る。第５の態様の照明器具（１）は、以下に示す構成を有する。照明器具（１）は、一対の第２カバー片（５２）のうちの少なくとも一方は、カバー部（５５）と、折り返し部（５６）とを有している。カバー部（５５）は、第１カバー片（５１）から第１方向と第２方向との両者に交差する方向に突出している。折り返し部（５６）は、カバー部（５５）における第１カバー片（５１）とは反対側の端部から第１カバー片（５１）側に向かって突出している。ガイド部（４３）は、カバー（５）がベース（３）に取り付けられる際に、折り返し部（５６）に接してベース（３）の移動をガイドする。
【００６０】
この態様によれば、カバー（５）がベース（３）に取り付けられる際、第２カバー片（５２）の折り返し部（５６）が、ガイド部（４３）に接してガイドされることにより、カバー（５）がベース（３）に対して第１方向に変位することが規制される。すなわち、第２カバー片（５２）の変形を抑制する折り返し部（５６）を利用して、カバー（５）をガイドすることができる。
【００６１】
第６の態様の照明器具（１）は、第５の態様との組み合わせにより実現され得る。第６の態様の照明器具（１）は、以下に示す構成を有する。カバー部（５５）は、突出部（５７）を有している。突出部（５７）は、第１方向において折り返し部（５６）よりも外側に突出して、ガイド部（４３）の一部を覆う。
【００６２】
この態様によれば、突出部（５７）によってガイド部（４３）の一部を覆い、照明器具（１）の外観を良くすることができる。
【符号の説明】
【００６３】
１  照明器具
３  ベース
３３  底部
３４  壁部
４  エンドキャップ
４３  ガイド部
５  カバー
５１  第１カバー片
５２  第２カバー片
５５  カバー部
５６  折り返し部
５８  引掛部
【図１】
2020087761.tif 000003
【図２】
2020087761.tif 000004
【図３】
2020087761.tif 000005
【図４】
2020087761.tif 000006
【図５】
2020087761.tif 000007
【図６】
2020087761.tif 000008
【図７】
2020087761.tif 000009
【図８】
2020087761.tif 000010